(57)【要約】【課題】光源ユニットの前方位置に配置されたオーナメント本体の外表面の一部分のみを発光させる構成において照明時の装飾効果及び消灯時の装飾効果の双方を実現する。【解決手段】光源ユニット３０の前方位置に配置されたオーナメント本体１０の外表面を車内空間に対して露出させてなる発光オーナメント１において、上記の外表面には、発光領域１ａ及び非発光領域１ｂが形成され、光源ユニット３０及びオーナメント本体１０のうちの少なくとも一方における発光領域１ａに対応する部分と非発光領域１ｂに対応する部分との間で、上記の外表面に向かう光量を異ならせる光量差形成機構が設けられている。また、発光領域１ａは、上記の外表面において集合した状態で形成され、発光領域１ｂ及び非発光領域１ｂの双方は、上記の外表面において互いに同様の装飾様式となるように形成されている。【選択図】図５
2014231311.tif 000002
【特許請求の範囲】
【請求項１】
光を照射する照射体と、該照射体の前方位置に配置された加飾体と、を備え、該加飾体の外表面が車内空間に対して露出した状態で配置される車両用加飾部品であって、
前記外表面には、前記照射体からの光を透過させて発光する発光領域及び該発光領域以外の非発光領域が形成され、
前記照射体及び前記加飾体のうちの少なくとも一方における前記発光領域に対応する部分と前記非発光領域に対応する部分との間で、前記外表面に向かう光量を異ならせる光量差形成機構が設けられ、
前記発光領域は、前記外表面において集合した状態で形成され、
前記発光領域及び前記非発光領域の双方は、互いに同様の装飾様式となるように形成されていることを特徴とする車両用加飾部品。
【請求項２】
前記加飾体は、透光性を有する加飾体本体と、該加飾体本体に取り付けられた加飾フィルムとを備え、
該加飾フィルムのうち、前記外表面を成す表面には、該表面全体に亘って一様の装飾様式にて形成された絵柄層が形成され、
前記加飾フィルムのうち、前記表面とは反対側の裏面には、前記加飾体本体を透過した光を遮断する遮光部と、前記加飾体本体を透過した光を透過させる透光部とが形成され、
前記光量差形成機構は、前記裏面に形成された前記遮光部及び前記透光部からなり、
前記裏面中、前記非発光領域に対応する部分に印刷処理を施して前記遮光部が形成されており、前記発光領域に対応する部分を前記印刷処理の対象から外して前記透光部が形成されていることを特徴とする請求項１に記載の車両用加飾部品。
【請求項３】
前記照射体は、光源と、該光源からの光を内部に導くことで光を照射する導光体と、を備えることを特徴とする請求項２に記載の車両用加飾部品。
【請求項４】
前記導光体は、光ファイバからなることを特徴とする請求項３に記載の車両用加飾部品。
【請求項５】
前記加飾体は、透光性を有する加飾体本体と、該加飾体本体に取り付けられた加飾フィルムとを備え、
該加飾フィルムは、該加飾フィルム全体に亘って透光性を有し、
前記照射体は、前記加飾体と対向する対向面を備えた面状発光体であり、
前記対向面には、前記面状発光体が発光する際に点灯している点灯領域と、該点灯領域以外の領域である非点灯領域とが存在し、
前記光量差形成機構は、前記対向面における前記点灯領域及び前記非点灯領域であり、
前記発光領域は、前記点灯領域の前方位置に配置され、前記非発光領域は、前記非点灯領域の前方位置に配置されていることを特徴とする請求項１に記載の車両用加飾部品。
【請求項６】
前記面状発光体は、ＥＬパネルからなることを特徴とする請求項５に記載の車両用加飾部品。
【請求項７】
前記加飾体は、前記外表面が円弧面となるように湾曲しており、
前記面状発光体は、可撓性を有し、前記加飾体に沿って湾曲していることを特徴とする請求項６に記載の車両用加飾部品。
【請求項８】
車両用ドアの車内側に配置されるドアライニングを構成する発光オーナメントであることを特徴とする請求項１乃至７のいずれか一項に記載の車両用加飾部品。
【発明の詳細な説明】
【技術分野】
【０００１】
本発明は、車両用加飾部品に係り、特に、照射体の前方位置に配置された加飾体の外表面のうちの一部分のみにおいて照射体からの光を透過させることで照明機能を発揮する車両用加飾部品に関する。
【背景技術】
【０００２】
車両用加飾部品としては、例えば、車両用ドアの内側に配置されるドアライニングに設けられる発光オーナメントが挙げられる。この発光オーナメントは、昼間帯には装飾部品として機能し、夜間帯には車内照明として機能する。
【０００３】
ところで、発光オーナメントの中には、その装飾性を向上させるために、車内空間に対して露出する外表面のうちの一部のみを発光させるものが存在する。このように外表面の一部のみを発光させる構成の発光オーナメントについては、当該発光領域が消灯時に周辺部材と調和せずに目立ってしまうために意匠性が低下してしまう虞がある。このような問題に対して、特許文献１に記載の発明では、光透過性のインテリアパネルの内側に光源を設け、同パネルの表側若しくは裏側に光遮蔽領域と光透過領域とを細かい間隔で交互に配置することとしている。また、特許文献１に記載の発明では、光遮蔽領域を多層構造とし、その中で最も車内に近い側の層を、周囲のインテリアに合わせて木目調やシルバー調のデザインとなったデザイン印刷層としている。以上のような構成により、特許文献１に記載の発明では、光透過性のインテリアパネルの外表面を部分的に発光させつつ、消灯時には当該パネルが周囲のインテリアと調和して目立ち難くなる。
【先行技術文献】
【特許文献】
【０００４】
【特許文献１】特開２００４−９０８９７号公報
【発明の概要】
【発明が解決しようとする課題】
【０００５】
しかしながら、特許文献１に記載の発明のように光遮蔽領域と光透過領域とを細かい間隔で交互に配置すると、光透過領域が分散されているので、例えば発光オーナメントの外表面の一部分を局所的に発光させることで得られる装飾効果、換言すると、光透過領域が集合している場合の照明効果が得られない。一方で、特許文献１に記載の発明において、光透過領域を集合させてしまうと、集合した光透過領域と光遮蔽領域との間で装飾様式（色調や柄）が著しく異なるので、光透過領域が目立ってしまい意匠性が低下してしまう。
【０００６】
そこで、本発明は、上記の問題に鑑みてなされたものであり、その目的は、照射体の前方位置に配置された加飾体の外表面のうちの一部分のみで照射体からの光を透過させる構成において照明時の装飾効果及び消灯時の装飾効果の双方を実現した車両用加飾部品を提供することにある。
【課題を解決するための手段】
【０００７】
前記課題は、本発明の車両用加飾部品によれば、光を照射する照射体と、該照射体の前方位置に配置された加飾体と、を備え、該加飾体の外表面が車内空間に対して露出した状態で配置される車両用加飾部品であって、前記外表面には、前記照射体からの光を透過させて発光する発光領域及び該発光領域以外の非発光領域が形成され、前記照射体及び前記加飾体のうちの少なくとも一方における前記発光領域に対応する部分と前記非発光領域に対応する部分との間で、前記外表面に向かう光量を異ならせる光量差形成機構が設けられ、前記発光領域は、前記外表面において集合した状態で形成され、前記発光領域及び前記非発光領域の双方は、互いに同様の装飾様式となるように形成されていることにより解決される。
上記の車両用加飾部品では、加飾体の外表面において発光領域は集合した状態で形成されているので、加飾体の外表面の一部分を局所的に発光させることで得られる装飾効果を実現することが可能となる。一方で、発光領域及び非発光領域の双方は、互いに同様の装飾様式となるように形成されているので、消灯時には発光領域と非発光領域とが調和し区別し難くなり、内装部品としての統一感を呈する結果、その意匠性が向上することとなる。
【０００８】
また、上記の車両用加飾部品において、前記加飾体は、透光性を有する加飾体本体と、該加飾体本体に取り付けられた加飾フィルムとを備え、該加飾フィルムのうち、前記外表面を成す表面には、該表面全体に亘って一様の装飾様式にて形成された絵柄層が形成され、前記加飾フィルムのうち、前記表面とは反対側の裏面には、前記加飾体本体を透過した光を遮断する遮光部と、前記加飾体本体を透過した光を透過させる透光部とが形成され、前記光量差形成機構は、前記裏面に形成された前記遮光部及び前記透光部からなり、前記裏面中、前記非発光領域に対応する部分に印刷処理を施して前記遮光部が形成されており、前記発光領域に対応する部分を前記印刷処理の対象から外して前記透光部が形成されていることとしてもよい。
上記の構成では、加飾フィルムの表面には一様の装飾様式にて絵柄層が表面全体に形成される一方で、加飾フィルムの裏面には遮光部と透光部とを設けている。このような加飾フィルムを加飾体本体に取り付けることで、加飾体の外表面に発光領域と非発光領域とが設けられ、さらに、これらの領域の間で装飾様式を統一させることが可能となる。
【０００９】
また、上記の車両用加飾部品において、前記照射体は、光源と、該光源からの光を内部に導くことで光を照射する導光体と、を備えると好適である。
上記の構成であれば、上記の加飾フィルムを用いる構成がより有効となる。すなわち、光源と導光体とをユニット化した照射体を利用する構成において、上記の加飾フィルムを加飾体本体に取り付けることで、加飾体の外表面に発光領域と非発光領域とをより容易に設けることが可能となる。
【００１０】
また、上記の車両用加飾部品において、前記導光体は、光ファイバからなると好適である。
上記の構成では、導光体が光ファイバからなるので、導光体の形状やサイズを比較的自由に設定することが可能となる。かかる性質を利用して、車両用加飾部品の小型化を図ることが可能となる。
【００１１】
また、上記の車両用加飾部品において、前記加飾体は、透光性を有する加飾体本体と、該加飾体本体に取り付けられた加飾フィルムとを備え、該加飾フィルムは、該加飾フィルム全体に亘って透光性を有し、前記照射体は、前記加飾体と対向する対向面を備えた面状発光体であり、前記対向面には、前記面状発光体が発光する際に点灯している点灯領域と、該点灯領域以外の領域である非点灯領域とが存在し、前記光量差形成機構は、前記対向面における前記点灯領域及び前記非点灯領域であり、前記発光領域は、前記点灯領域の前方位置に配置され、前記非発光領域は、前記非点灯領域の前方位置に配置されていることとしてもよい。
上記の構成では、加飾フィルム全体が透光性を有している一方で、面状発光体の加飾体との対向面には点灯領域と非点灯領域が存在する。そして、加飾体の外表面のうち、発光領域とする部分が点灯領域の前方位置に配置され、非発光領域とする部分が非点灯領域の前方位置に配置されている。これにより、加飾フィルムに上述した遮光部及び透光部を設けなくとも加飾体の外表面に発光領域と非発光領域とを設けることが可能となる。
【００１２】
また、上記の車両用加飾部品において、前記面状発光体は、ＥＬパネルからなると好適である。さらに、上記の構成で、前記加飾体は、前記外表面が円弧面となるように湾曲しており、前記面状発光体は、可撓性を有し、前記加飾体に沿って湾曲していると好適である。
上記の構成のように面状発光体がＥＬパネル、特に、可撓性を有するものであれば、加飾体の形状に合わせて面状発光体を変形させることで車両用加飾部品の小型化を図ることが可能となる。
【００１３】
また、上記の車両用加飾部品は、車両用ドアの車内側に配置されるドアライニングを構成する発光オーナメントであると、本発明の効果を有意義に発揮させることが可能となる。
【発明の効果】
【００１４】
本発明によれば、照明時には、加飾体の外表面の一部分を局所的に発光させることで得られる装飾効果を実現する一方で、消灯時には発光領域と非発光領域とが調和し区別し難くなり、内装部品としての統一感を呈するようになる。
また、本発明によれば、一様の装飾様式にて絵柄層が表面全体に形成され、かつ、裏面に遮光部と透光部との双方を設けた加飾フィルムを加飾体本体に取り付けることで、加飾体の外表面に発光領域と非発光領域とを設けること、並びにこれらの領域の間で装飾様式を統一させることを容易に達成できる。他方、面状発光体の加飾体との対向面に点灯領域と非点灯領域とを設け、加飾体の外表面のうち、発光領域とする部分を点灯領域の前方位置に配置し、非発光領域とする部分が非点灯領域の前方位置に配置すれば、加飾フィルムの裏面に遮光部及び透光部を設けなくとも加飾体の外表面に発光領域と非発光領域とを設けることが可能となる。
また、本発明によれば、加飾体の形状に合わせて照射体（若しくはその構成部品の一部）を加飾体に合わせて変形させることが可能であるため、車両用加飾部品の小型化を図ることが可能となる。
【図面の簡単な説明】
【００１５】
【図１】本発明の一実施形態に係るドアライニングの外観を示す図である。
【図２】本発明の一実施形態に係る発光オーナメントの正面図である。
【図３】本発明の一実施形態に係る発光オーナメントの分解斜視図である（その１）。
【図４】本発明の一実施形態に係る発光オーナメントの分解斜視図である（その２）。
【図５】本発明の一実施形態に係るオーナメント本体の積層構造を示す模式図である。
【図６】図６の（Ａ）は、加飾フィルムの表側の面を示し、（Ｂ）は加飾フィルムの裏側の面を示す図である。
【図７】本発明の一実施形態に係る光源ユニットの正面図である。
【図８】光源ユニットとオーナメント本体とを組み合わせるために両部材に設けられた部分の拡大図である。
【図９】本発明の一実施形態に係る発光オーナメントにおける各構成部品の位置関係を示す模式断面図である。
【図１０】第１変形例に係る発光オーナメントの分解斜視図である。
【図１１】第１変形例に係る光源ユニットの構成を説明するための図である。
【図１２】第１変形例に係るホルダと導光体とを示す模式図である。
【図１３】第２変形例に係る発光オーナメントの分解斜視図である。
【図１４】面状発光体の変更例を示す図である。
【図１５】第３変形例に係る発光オーナメントの構成を説明するための図である。
【発明を実施するための形態】
【００１６】
＜＜本発明の一実施形態に係る車両用加飾部品の構成＞＞
以下、本発明の一実施形態（以下、本実施形態）について図面を参照しながら説明する。なお、以下の説明において、車両の前後方向とは、通常走行時の前後方向を意味し、また、車両の内側（以下、単に内側ともいう）とは、車室側（車両の室内側）のことを意味し、車両の外側（以下、単に外側ともいう）とは、車外側のことを意味している。さらに、以下の説明において、上側（下側）とは、車両本体に組み付けられた状態での上側（下側）を意味する。
【００１７】
以下では、本実施形態に係る車両用加飾部品の一例として、車両用ドアライニングＲの一部をなす照明機能付きの加飾部品である発光オーナメント１について、その用途及び構成等について説明する。
【００１８】
発光オーナメント１を含むドアライニングＲは、車両用ドアの内側、より具体的には不図示のドアインナパネルに取り付けられている。ドアライニングＲを構成する部品としては、図１に示すように、発光オーナメント１の他、ポケットトリム２やドアアームレスト３等があり、これらはドアベース（厳密には、図３に示すロアベース４）の内側に取り付けられる。図１は、本実施形態に係るドアライニングＲの外観を示す図である。
【００１９】
発光オーナメント１は、その外表面が車内空間に対して露出する位置、具体的にはドアライニングＲにおいてプルハンドル５と並ぶ位置に取り付けられ、加飾部品としてドアライニングＲの意匠性を高めるとともに、夜間等の車室が暗くなった際には照明装置として機能する。そして、本実施形態に係る発光オーナメント１については、照明機能として利用されるとき、その下部のみが発光し上部は発光しないことになっている。
【００２０】
具体的に説明すると、発光オーナメント１は、図２に示すように車両の前後方向に沿って長いナイフ状の外表面を有し、当該外表面の下端部には先端よりも幾分後側の位置から略三角形状に展開した発光領域１ａ（図２において、グレー色で塗られた部分）が形成されている。この発光領域１ａは、後述の光源が点灯した際に所定の輝度にて発光するようになる。一方、発光オーナメント１の外表面のうち、発光領域１ａ以外の領域（以下、非発光領域１ｂ）については、光源が点灯しても発光しないこととなっている。なお、図２は、本実施形態に係る発光オーナメント１の正面図である。
【００２１】
また、本実施形態では、図２に示すように、発光オーナメント１の外表面において発光領域１ａが分散せずに１カ所に集合している。なお、発光オーナメント１の外表面における発光領域１ａの配置箇所については１カ所に限定されず、分散せずに集合して存在する限りにおいては複数箇所に発光領域１ａが設けられていることとしてもよい。
【００２２】
さらに、本実施形態に係る発光オーナメント１は、前述したように、昼間帯のように照明機能を要しない状況下では車両用ドアの意匠性を向上させるための内装品として機能する。その上で、本実施形態では、発光オーナメント１の外表面において発光領域１ａの内側表面の装飾様式と非発光領域１ｂの内側表面の装飾様式とが互いに同様の様式となっており、具体的には、メタリック調に着色された表面となっている。ここで、装飾様式とは、表面の配色、模様、光沢、風合い等、表面に施された装飾処理によって現れる視覚的特性を意味する。このように発光領域１ａと非発光領域１ｂとの間で内側表面の装飾様式が統一している結果、発光領域１ａとそれ以外の非発光領域１ｂが互いに調和して区別し難くなり、これにより意匠性が向上することとなる。
【００２３】
つまり、本実施形態に係る発光オーナメント１であれば、照明機能を要しない状況下ではドアの意匠性を重視して発光領域１ａの存在を隠し、夜間等の照明機能を要する状況には、発光領域１ａを発光させて照明機能を有効に発揮することが可能となる。このような性質はステルス性と呼ばれ、本実施形態に係る発光オーナメント１では、従来の車両用照明装置に比してステルス性が著しく向上している。
なお、発光領域１ａ及び非発光領域１ｂの双方の内側表面の装飾様式については、メタリック調に限定されず、例えば木目調やカーボン調であってもよく、それ以外にも配色や模様が同様であることとしてもよい。
【００２４】
次に、発光オーナメント１の構成について説明する。
発光オーナメント１は、光を照射する照射体としての光源ユニット３０と、光源ユニット３０を保持するホルダ３３と、光源ユニット３０の前方位置（光源ユニット３０よりも車内側）に配置された加飾体としてのオーナメント本体１０と、を備えている。これらの部品が、図３及び４に示すように組み合わされて発光オーナメント１を構成し、その後にロアベース４の内側表面の所定位置に固定される。図３及び４は、本実施形態に係る発光オーナメントの分解斜視図であり、図３は内側から見たときの図を、図４は外側から見たときの図をそれぞれ示している。
【００２５】
オーナメント本体１０は、その外表面が車室（車内空間）に対して露出した状態で配置されるプレート状部材である。すなわち、オーナメント本体１０の外表面が発光オーナメント１の外表面をなし、車室側に位置して発光オーナメント１の加飾性を発現する。
なお、図４に示すようにオーナメント本体１０の裏面側にはボス１３や係合突起１４が形成されている。そして、ロアベース４側に設けられたボス穴４ａにボス１３が嵌合した状態でビス止め固定されるとともにロアベース４に形成された嵌合穴４ｂに係合突起１４が嵌合することで、オーナメント本体１０がロアベース４に固定されるようになる。
【００２６】
光源ユニット３０は、光源としてのランプ３１と、ランプ３１からの光を内部に導いて出射面３２ａから出射する導光体３２と、によって構成されており、オーナメント本体１０の裏側（外側）に配置されている。つまり、本実施形態において、光源ユニット３０は、ロアベース４とオーナメント本体１０との間に挟まれた位置に配置されている。このような位置関係により、車両用ドア内部の如く限られた空間内において光源ユニット３０をコンパクトに配置することが可能となるため、光源としてのランプ３１を効果的に隠蔽し、以て、照明機能を要しない状況で発光領域１ａの存在を隠す性質、すなわちステルス性が向上することになる。
【００２７】
さらに、本実施形態では、前述したように、オーナメント本体１０の外表面のうちの一部分（すなわち、発光領域１ａ）のみにおいて光源ユニット３０からの光が透過して発光し、それ以外の部分（すなわち、非発光領域１ｂ）では光源ユニット３０からの光が遮断されて発光しないようになっている。換言すると、本実施形態では、オーナメント本体１０の外表面において、発光領域１ａと非発光領域１ｂとの間で通過する光量が異なっている。かかる状態を実現するための構成を説明するにあたり、以下、オーナメント本体１０、及び光源ユニット３０について詳しく説明する。
【００２８】
（オーナメント本体）
オーナメント本体１０は、加飾体本体としてのオーナメント基材１１と、同基材１１の表面（内側の面）に取り付けられた加飾フィルム１２からなる。
オーナメント本体１０は、透光性を有する透明な樹脂成形品であり、材質としてＡＢＳ樹脂、ＰＣ樹脂、ＰＭＭＡ樹脂などが利用可能である。オーナメント基材１１の材質のいずれの樹脂材料を用いるのかについては、当該材料の耐熱性、耐薬品性、耐衝撃性、耐燃焼性等を考慮して最も好適と考えられる材料を選定すればよく、本実施形態ではＰＣ樹脂がオーナメント基材１１成形用の材料として用いられている。
【００２９】
また、オーナメント基材１１を構成する樹脂材料には散光材料が含有されており、これにより、オーナメント基材１１の裏側に配置された光源ユニット３０からの照射光は、オーナメント基材１１を通過する際に拡散されるようになる。なお、散光材料としては、公知の散光材料（光拡散剤）が利用可能である。
【００３０】
さらに、前述したように、オーナメント基材１１の表面には加飾フィルム１２が取り付けられている。この加飾フィルム１２は、図５に示すように多層構造を成しており、オーナメント基材１１の表面と加飾フィルム１２との間にはフィルム接着用の層（接着層１２ｅ）が形成されている。図５は、本実施形態に係るオーナメント本体１０の積層構造を示す模式図である。
【００３１】
加飾フィルム１２は、リメタクリル酸メチル樹脂（ＰＭＭＡ）やポリエチレンテレフタラート（ＰＥＴ）からなるフィルムであり、印刷等の加飾処理が行われる前段階では無色透明で透光性を有している。一方、加飾処理が施された後の加飾フィルム１２は、表面側に絵柄層１２ａを備えている。ここで、加飾フィルム１２の表面とは、オーナメント本体１０の外表面を成す面、すなわち、車内空間に対して露出する側の面である。そして、絵柄層１２ａは、加飾フィルム１２の表面全体に亘って一様の装飾様式にて形成されており、具体的には、図６の（Ａ）に示すように全体的にメタリック調に着色されている。図６の（Ａ）は、加飾フィルム１２の表側の面を示す図である。
【００３２】
なお、絵柄層１２ａについては、加飾フィルム１２の表面に対して例えば金属材料の蒸着若しくは銀鏡塗装や金属フレーク入り塗料の塗装を施すことで形成される。このような処理によって形成された絵柄層１２ａは、所謂ハーフミラー効果を発揮するようになる。ここで、メタリック風の色合いや光沢感を帯びさせてハーフミラー効果を得る方法としては、屈折率が異なるＰＥＴフィルムを加飾フィルム１２の表側に多重積層することとしてもよい。
【００３３】
また、加飾処理後の加飾フィルム１２の裏側（車室に対して露出する側とは反対に位置し、オーナメント基材１１に貼り付けられる側）については、図６の（Ｂ）に示すように、もともとのフィルムの質感（すなわち、無色透明）のままとなった領域と、黒色インクにて所定のパターンが印刷された領域と、が形成されている。図６の（Ｂ）は、加飾フィルム１２の裏側の面を示す図である。
【００３４】
ここで、黒色インクにてパターンが印刷された領域は、光源ユニット３０から照射された後にオーナメント基材１１を透過してきた光を遮断する遮光部１２ｄを構成しており、無色透明となった領域（換言すると、遮光部１２ｄ以外の領域）は、オーナメント基材１１を透過した光がそのまま通過する透光部１２ｃを構成している。なお、遮光部１２ｄは、加飾フィルム１２のうち、非発光領域１ｂに対応する部分に印刷処理を施すことで形成されるが、印刷処理としては、グラビア印刷、シルク印刷、タンポ印刷若しくはオフセット印刷が利用可能である。また、上記の印刷処理の中には、上で列記した印刷と同様の効果を奏する手法、例えば、吹き付け塗装や水転写が含まれるものである。
一方、透光部１２ｃは、加飾フィルム１２のうちの発光領域１ａに対応する部分を印刷処理の対象から外す（分かり易く言うと、印刷処理を施さない）ことで形成される。
【００３５】
以上のような加飾フィルム１２がオーナメント基材１１の表面に貼り付けられることでオーナメント本体１０が完成する。そして、完成したオーナメント本体１０のうち、遮光部１２ｄが位置する部分ではオーナメント基材１１を透過した光が透過できないのに対し、透光部１２ｃが位置する部分ではオーナメント基材１１を透過した光がそのまま透過するようになる。この結果、発光オーナメント１の外表面において、遮光部１２ｄが取り付けられた領域、すなわち、非発光領域１ｂは発光せず、透光部１２ｃが取り付けられた領域、すなわち、発光領域１ａのみが発光するようになる。かかる意味で、加飾フィルム１２の裏面に形成された透光部１２ｃ及び遮光部１２ｄは、その双方の間でオーナメント本体１０の外表面に向かう光量を異ならせる光量差形成機構に相当する。
【００３６】
なお、加飾フィルム１２をオーナメント基材１１に貼り付ける方法としては、インモールド成形（柄転写成形）、フィルムインサート成形及び真空圧空成形が利用可能であり、さらに、これら以外の方法として水転写等の方法も利用可能である。
また、加飾フィルム１２の積層構造については、図５に図示した構造に限定されるものではなく、例えば表面物性を保つ目的から絵柄層１２ａ上にハードコート層を形成することとしてもよい。また、絵柄層１２ａ自体については、金属薄膜層の上に更にアンカー層、チント着色層、ヘアライン層を設けることとしてもよい。
さらに、加飾フィルム１２中、透光部１２ｃについては無色透明となった構成の他、若干白濁した半透明のような色味が付いた半透明となった構成であってもよい。
【００３７】
（光源ユニット）
光源ユニット３０は、前述したように、ランプ３１と導光体３２とによって構成され、これらの構成部品は図７に示すようにホルダ３３に保持されている。図７は、本実施形態に係る光源ユニット３０を示す正面図である。
ランプ３１は、車両用照明の光源として好適なもの、例えばＬＥＤや電球によって構成されており、本実施形態ではＬＥＤを利用していることとする。
【００３８】
導光体３２は、樹脂成形品であり、特に本実施形態では、比較的剛性が高い長尺状の導光板となっている。この導光体３２は、図７に示すように、長手方向一端から他端に向かうにつれて漸次的に幅（長手方向と直交する方向の長さ）が広がっている。なお、発光オーナメント１を含むドアライニングＲが車内の所定位置にセットされた状態で、導光体３２の長手方向が車両の前後方向に沿い、導光体３２のうち、幅狭な長手方向一端部がより車両前方に、幅広な長手方向他端部がより車両後方に位置するようになっている。
【００３９】
また、導光体３２は、その外周がホルダ３３によって取り囲まれ、かつ、その背面がホルダ３３の側壁と対向した状態でホルダ３３に保持される。ここで、ホルダ３３は、導光体３２からの出射光を良好に反射できるように白色に着色されたものが好適であり、例えば、ＰＣ樹脂に白色顔料を投入した材料にて成形され、特に、本実施形態では、白色顔料の投入量を一般的な白色の樹脂成形品を製造する際の投入量の約２倍にして成形している。
【００４０】
ホルダ３３には、導光体３２の長手方向一端部（より幅が狭い方の端部）と隣り合う位置にランプ３１が取り付けられている。このようにランプ３１が導光体３２の長手方向一端部と隣り合う位置に取り付けられていると、光の進行方向と導光体３２による導光方向とが一致するために良好な導光効果を得ることが出来、さらには、光の進行方向において下流側に向かうほど導光体３２の幅が広がるので、扇状に広がるランプ３１からの光をより適切に導光することが可能になる。
なお、本実施形態では、導光体３２の長手方向一端部側のみにランプ３１を取り付けることとしたが、導光体３２の長手方向両端部の各々の脇にランプ３１を取り付けることとしてもよい。
【００４１】
さらに、本実施形態では、ランプ３１と隣り合う導光体３２の長手方向一端部は、車両の前後方向においてより前側に位置している。つまり、ランプ３１は、車両の前方により近くなるように導光体３２と並設されている。一方で、通常の車両の場合、ランプ３１の電源は、車両の前方部（フロント部）に搭載されている。したがって、ランプ３１と電源との間に敷設されるケーブルＨの長さを短くすることが可能となり、以て発光オーナメント１の製造コストが抑えられることになる。
【００４２】
また、図７に示すように、本実施形態では、上記ケーブルＨのランプ３１への繋ぎ込み口（以下、ジャック）３１ａの開口が鉛直方向下側を向くように形成されている。これにより、雨水等が意図せずにドア内部に浸入した場合に、ジャック３１ａとケーブルＨとの接続箇所が濡れてしまうのを抑制することが可能となる。
【００４３】
以上のように構成された光源ユニット３０は、オーナメント本体１０の裏面側にスナップフィット形式で組み付けられる。図７を参照しながら具体的に説明すると、光源ユニット３０は、ホルダ３３の外縁に上方又は下方に突出した係合穴形成部３４を備えている。係合穴形成部３４は、門型形状となっており、矩形状の係合穴３４ａを形成している。
【００４４】
なお、本実施形態では、ホルダ３３の外縁に複数の係合穴形成部３４が形成されており、各々の係合穴形成部３４の形成位置は、光源ユニット３０の重心位置を考慮して、光源ユニット３０をオーナメント本体１０に対してバランスよく組み付けるための好適な位置に設定されており、本実施形態では、ホルダ３３の上端に２箇所、ホルダ３３の下端に２箇所、計４箇所に係合穴形成部３４が形成されている。また、係合穴形成部３４は、ホルダ３３の外縁から上方又は下方に向かって延出しているので、係合穴形成部３４が導光体３２の出射面３２ａからの出射光を遮ってしまうのを抑制することが可能である。
【００４５】
そして、各係合穴３４ａにはオーナメント本体１０に設けられた爪部１６が係合する。この爪部１６は、オーナメント本体１０の裏面側に形成されており、図８に示すように、先端部が鉤状になった鉤状部１６ａと、鉤状部１６ａを包囲する略Ｕ字状の包囲部１６ｂが形成されている。図８は、光源ユニット３０とオーナメント本体１０とを組み合わせるために両部材に設けられた部分の拡大図である。
【００４６】
なお、上記の爪部１６は、図４に示すように、オーナメント本体１０の裏面に設けられたリブ１５の外縁から外側に向かって張り出している。このリブ１５は、オーナメント本体１０の剛性を確保するために設けられ、オーナメント本体１０の裏面を正面視したときに略台形型の輪郭をなし、その内側には光源ユニット３０を収納することが可能である。つまり、光源ユニット３０がオーナメント本体１０に組み付けられると、リブ１５が光源ユニット３０を包囲し、その内側に光源ユニット３０が収納されるようになる。これにより、車両用ドアの内部のように限られた空間内において光源ユニット３０をよりコンパクトに配置することが可能となる。
【００４７】
また、オーナメント本体１０に組み付けられた状態の光源ユニット３０については、上記の通りリブ１５に取り囲まれるので、オーナメント本体１０のうち、光源ユニット３０の前方に位置する部位、すなわちリブ１５に囲まれた部位にのみ、光源ユニット３０からの光が当たるようになる。以上のようにリブ１５は、オーナメント本体１０の剛性を確保するとともに、光源ユニット３０からの光がオーナメント本体１０において光源ユニット３０の前方に位置する部分以外に漏れるのを抑制している。
【００４８】
また、リブ１５の上方部分は、オーナメント本体１０の裏面のうち、非発光領域１ｂに相当する部分から延出している。これにより、仮にオーナメント本体１０の裏面にリブ１５を設けることでヒケが生じたとしても、そのヒケを目立ち難くして加飾性の低下を抑制することが可能となる。
【００４９】
以上のような構成により、爪部１６の鉤状部１６ａが係合穴３４ａに係合することで光源ユニット３０がオーナメント本体１０に組み付けられるようになる。また、光源ユニット３０がオーナメント本体１０に組み付けられると、ホルダ３３の外縁に形成された係合穴形成部３４がリブ１５に当接することで、光源ユニット３０がオーナメント本体１０に対して位置決めされるようになる。かかる位置決めにより、導光体３２とオーナメント本体１０との間隔は、図９に示すように所定距離（図９中、記号ｄにて示す）となる。ここで、所定距離ｄとは、発光オーナメント１の発光時において発光領域１ａの照度が所望の照度となるように設定された距離である。なお、図９は、本実施形態に係る発光オーナメント１における各構成部品の位置関係を示す模式断面図である。
【００５０】
ちなみに、係合穴形成部３４をリブ１５に当接させた際、その当接部位周りに隙間が存在するとガタツキが生じるので、ガタツキ抑制の目的で不織布等を上記の隙間を埋めることとしてもよい。
【００５１】
光源ユニット３０がオーナメント本体１０に組み付けられた後には、前述したように、オーナメント本体１０がロアベース４に固定され、この際、オーナメント本体１０に設けられたボス１３や係合突起１４がロアベース４に締結される。一方、光源ユニット３０のホルダ３３の裏面にもボス３５及び係合突起３６が形成されており、ボス３５は、ロアベース４側に形成されたボス穴４ｃに嵌合してビス止め固定され、係合突起３６は、ロアベース４側に形成された嵌合穴４ｄに嵌合してスナップフィット結合される。
以上のように光源ユニット３０側にもボス３５や係合突起３６を設け、これらをロアベース４に締結することで、光源ユニット３０をより堅固に固定することが可能となる。
【００５２】
＜＜発光オーナメントの変形例＞＞
以上までに説明してきた発光オーナメントの構成については、上述した内容以外の構成（変形例）が考えられる。以下では、発光オーナメント４１、８１、１０１、１２１の変形例について説明する。
【００５３】
（第１変形例）
上記の構成例（以下、本件例）では、光源ユニット３０がオーナメント本体１０に組み付けられた後にオーナメント本体１０がロアベース４に締結されることで発光オーナメント１がロアベース４に取り付けられることとした。ただし、発光オーナメントの取り付け方式については、本件例の方式に限定されるものではない。例えば、図１０に示すように、発光オーナメント４１を組み立てた後に光源ユニット６０のホルダ６３に設けられた爪部４５をドアライニング本体４２に設けられた嵌合穴に嵌合させることで発光オーナメント４１をドアライニング本体４２に取り付ける構成（第１変形例）であってもよい。図１０は、第１変形例に係る発光オーナメント４１の分解斜視図である。
なお、ドアライニング本体４２とは、ドアライニングＲのうち、発光オーナメント４１を除いた部分のことである。
【００５４】
以下、図１１及び図１２を参照しながら第１変形例の構成、特に、光源ユニット６０の構成について説明する。図１１は、第１変形例に係る光源ユニット６０の構成を説明するための図であり、ＬＥＤランプ６１周りの拡大図である。図１２は、第１変形例に係るホルダ６３と導光体６２とを示す模式図であり、ホルダ６３及び導光体６２を上方から見たときの図である。
【００５５】
第１変形例に係る光源ユニット６０は、本件例と同様、ＬＥＤランプ（以下、単にランプ）６１と導光体６２としての導光板とを備えており、これらの機器はホルダ６３に保持されている。また、第１変形例においても、ランプ６１と導光体６２とが互いに隣り合うようにホルダ６３に保持されている。なお、導光体６２は、スナップフィットにてホルダ６３に組み付けられている。具体的には、ホルダ６３に形成された図１１に図示の係合爪部６４ｄが導光体６２に係合するようになっている。
【００５６】
さらに、第１変形例では、図１１に示すように、導光体６２においてランプ６１と隣り合う長手方向一端部にランプ６１に向かって突出した突出部６２ｂが形成されている。この突出部６２ｂにより、導光体６２のうち、ランプ６１との対向部分がランプ６１に近付き、ランプ６１からの入射光を効率よく導光体６２に導くことが可能となる。この結果、ランプ６１の使用個数が１個であっても導光体６２の出射面６２ａから適切に光を出射させることが可能となる。
【００５７】
なお、ランプ６１からの光を効率よく導光体６２に入射させるうえで、上記の突出部６２ｂとランプ６１との間のクリアランスを安定的に保持する必要がある。このため、第１変形例では、ホルダ６３に導光体６２を位置決めするための位置決め穴６４ｃが形成されている。この位置決め穴６４ｃは、ホルダ６３の枠壁６４ａのうち、ランプ６１に近い側の端部に形成されている。一方、導光体６２のうち、ランプ６１と隣り合う長手方向一端部の下端には、位置決め穴６４ｃに嵌合する凸部６２ｃが形成されている。この凸部６２ｃは、上記の突出部６２ｂが突出している方向とは直交する方向、具体的には導光体６２の高さ方向において下向きに突出している。そして、上記の位置決め穴６４ｃと凸部６２ｃとの協働により、導光体６２がホルダ６３に対して位置決めされる結果、導光体６２とランプ６１との間のクリアランスを安定的に保持することが可能となる。
【００５８】
なお、導光体６２においてランプ６１と隣り合う側の端部に位置決め用の凸部６２ｃが設けられている一方で、ランプ６１からの光については図１１に示すように放射状に広がる。このため、同図に示すようにランプ６１からの光については凸部６２ｃに届くことがなく、光の出射に影響を及ぼさずに導光体６２の位置決めを行うことが可能となる。
【００５９】
また、ホルダ６３に組み付けらえた導光体６２のガタツキを抑える目的から、図１２に示すように、導光体６２の背面（裏面）とホルダ６３の側壁６４ｅとの間に当接リブ６４ｉが設けられている。この当接リブ６４ｉがホルダ６３に組み付けられた導光体６２の背面に当接することで導光体６２のガタツキが抑制される。なお、図１２に示すように、導光体６２の背面のうち、当接リブ６４ｉが当接する領域は、導光体６２の裏側に形成された略Ｖ字切り欠きのプリズム部６２ｄを避けた領域となっている。これは、切り欠きからなるプリズム部６２ｄ内に当接リブ６４ｉが入り込んでしまうと、プリズム部６２ｄでの光の反射が適切になされなくなり、プリズム部６２ｄを設けた効果が発揮され難くなるためである。
【００６０】
また、当接リブ６４ｉの突出量については、過度に大きくなるとホルダ６３の側壁６４ｅにヒケを生じてしまうため、上記の側壁６４ｅの厚みの１／３以下、望ましくは、１／１０以下に設定されているのが望ましい。また、当接リブ６４ｉの個数及びリブ間ピッチについては、導光体６２からの光の出射に悪影響を及ぼさない範囲を光学シミュレーションにより特定し、当該範囲内で最適な値に設定することが望ましい。
【００６１】
（第２変形例）
本件例及び第１変形例では、光を照射する照射体としてＬＥＤのランプ３１、６１及び導光体３２、６２からなる光源ユニット３０、６０を用いる例について説明した。ただし、これに限定されるものではなく、上記以外の照射体、例えば、ＥＬパネルのような面状発光体を用いる構成（第２変形例）であってもよい。
以下、図１３を参照しながら第２変形例の構成について説明する。図１３は、第２変形例に係る発光オーナメント８１の分解斜視図である。
【００６２】
第２変形例に係る発光オーナメント８１は、図１３に示すように、加飾体としてのオーナメント本体８２と、面状発光体としての有機ＥＬパネルからなるディスプレイ９０と、ディスプレイ９０を保持するホルダ９３と、を備えている。このような構成であれば、本件例のように光源（具体的にはランプ３１）と光源からの光を広範囲に出射するための導光体３２とを別々に設ける必要がなく、部品点数の削減を図ることが可能となる。
【００６３】
ディスプレイ９０は、オーナメント本体８２と対向する対向面としての発光面９０ａを備えており、当該発光面９０ａの中で点灯させる領域（以下、点灯領域）９０ｂや発光色を自由に設定することが可能である。かかる性質を利用して、第２変形例では、ディスプレイ９０の発光面９０ａのうち、オーナメント本体８２の外表面中の発光領域（本件例の発光領域１ａに相当する領域）に応じた部分のみを点灯させることとしている。
【００６４】
換言すると、第２変形例では、発光面９０ａの中で点灯している点灯領域９０ｂの前方位置に、オーナメント本体８２の外表面のうちの発光領域が配置されている。一方で、点灯領域９０ｂ以外の領域、すなわち、点灯していない非点灯領域９０ｃの前方位置に、オーナメント本体８２の外表面のうちの非発光領域（本件例の非発光領域１ｂに相当する領域）が配置されている。これにより、発光オーナメント８１の発光時には、発光領域のみにおいてディスプレイ９０からの照射光が透過され、当該発光領域のみが発光することとなる。
【００６５】
ところで、本件例では、発光領域１ａのみを発光させ非発光領域１ｂを発光させないための手段として、オーナメント基材１１の表面に貼り付けられる加飾フィルム１２の裏側に遮光部１２ｄと透光部１２ｃとを設けることとした。これに対して、第２変形例では、上述したように、ディスプレイ９０の発光面９０ａにおいて、発光領域に対応する部分を点灯領域９０ｂとし、非発光領域に対応する部分を非点灯領域９０ｃとすることとした。これにより、加飾フィルム１２の裏側に遮光部１２ｄを形成することなく、発光オーナメント８１の外表面の所定領域のみを発光させることが可能となる。かかる意味で、発光面９０ａに設けられた点灯領域９０ｂ及び非点灯領域９０ｃは、その双方の間でオーナメント本体８２の外表面に向かう光量を異ならせる光量差形成機構に相当する。
【００６６】
以上のように、第２変形例では、発光面９０ａにおいて点灯領域９０ｂ及び非点灯領域９０ｃを自由に設定することが可能であるので、加飾フィルム１２に遮光部１２ｄを設ける必要がなくなる。つまり、第２変形例に係る加飾フィルム１２は、その全体に亘って透光性を有するようになり、さらには、上記の効果により、オーナメント基材を構成する樹脂材料についても、拡散剤を含有した材料を用いる必要がなくなる。
【００６７】
なお、ディスプレイ９０は、スナップフィット等の公知の方式にてホルダ９３に組み付けられ、具体的には、図１３に示すように、ディスプレイ９０の外縁から突出した凸部９０ｄがホルダ９３に形成された嵌合穴９３ａに係合することで組み付けられるようになっている。
【００６８】
また、ホルダ９３にはオーナメント本体８２が組み付けられ、具体的には、オーナメント本体８２の外縁からホルダ９３に向かって延出した爪８３がホルダ９３に形成された係合突起９３ｂに係合するようになっている。さらに、ホルダ９３の長手方向両端部には、図１３に示すように舌状突起９３ｃが設けられており、この舌状突起９３ｃに形成された挿入穴９３ｄにオーナメント本体８２の長手方向両端部に形成されたボス８４が嵌合する。そして、挿入穴９３ｄに嵌合したボス８４は、ドアライニング本体４２に対してビス止めされる。すなわち、第２変形例では、発光オーナメント８１をドアライニング本体４２に取り付ける際に、ホルダ９３とこれに組み付けられたオーナメント本体８２とがドアライニング本体４２に対して共締めされるようになっている。
【００６９】
また、ホルダ９３には、図１３に示すように、その裏側から係合突起９３ｅが突出しており、この係合突起９３ｅが、発光オーナメント８１をドアライニング本体４２に取り付ける際にはドアライニング本体４２に形成された係合穴（不図示）に係合するようになっている。
【００７０】
なお、図１３に図示した構成では、面状発光体として有機ＥＬパネルからなるディスプレイ９０が用いられており、当該ディスプレイ９０は、若干の厚みを有し剛性が確保されたものになっている。ただし、面状発光体については上記のディスプレイ９０に限定されるものではなく、図１４に示すように、可撓性を有するフレキシブル有機ＥＬのシート（以下、シート状ディスプレイ）１１０からなる面状発光体であることとしてもよい。図１４は、面状発光体の変更例を示す図であり、発光オーナメント１０１の側方断面を模式的に示した図である。
【００７１】
図１４に示すケースについて説明すると、発光オーナメント１０１に備えられたオーナメント本体１０２に深掘り加工が施されており、オーナメント本体１０２は、その外表面が円弧面となるように湾曲している。一方、図１４に示すように、シート状ディスプレイ１１０は、可撓性を有しているので、オーナメント本体１０２に沿って湾曲して配置させることが可能である。これにより、発光オーナメント１０１をより薄型化することが可能となる。
【００７２】
なお、図１４に示すケースでは、発光オーナメント１０１の薄型化のために、シート状ディスプレイ１１０を保持するホルダ１１３についても、同様に円弧状に湾曲した形状に成形されている。また、ホルダ１１３には、シート状ディスプレイ１１０との対向面から突出形成されたボス１１３ａが設けられている。かかるボス１１３ａがシート状ディスプレイ１１０に形成された穴（不図示）に挿入されて溶着止めされることで、シート状ディスプレイ１１０がホルダ１１３に組み付けられるようになっている。
【００７３】
また、上述の例では、有機ＥＬパネルからなる面状発光体を例に挙げて説明したが、これ以外の面状発光体、例えば、無機ＥＬパネルからなる面状発光体、液晶パネルからなる面状発光体も利用可能である。
【００７４】
（第３変形例）
本件例では、光源としてのランプ３１からの光を内部に導く導光体３２として、剛性が比較的高い導光板を利用することとした。ただし、これに限定されるものではなく、他の導光体、例えば、図１５に示すように光ファイバからなる導光体１３２を用いた構成（第３変形例）であってもよい。図１５は、第３変形例に係る発光オーナメント１２１の構成を説明するための図であり、発光オーナメント１２１の側方断面を模式的に示した図である。
【００７５】
以下、図１５を参照しながら第３変形例の構成、特に、光源ユニット１３０中の導光体１３２について説明する。
第３変形例に係る発光オーナメント１２１では、前述したように、導光体１３２が光ファイバにより構成されている。より具体的に説明すると、図１５に示すように、導光体１３２が複数の光ファイバの束からなり、当該複数の光ファイバは、上下方向に列（以下、ファイバ列）をなすように配置されている。
【００７６】
一方、光ファイバについては、それ自体が可撓性を有していることに加え、ファイバ列についても自由な列形状とすることが可能となる。これにより、発光オーナメント１２１に備えられたオーナメント本体１２２が深掘り加工によってその外表面が円弧面となるように湾曲している場合には、オーナメント本体１２２に沿って導光体１３２を成すファイバ列を弓状に湾曲させて配置させることが可能となる。この結果、発光オーナメント１２１をより薄型化することが可能となる。
【００７７】
なお、第３変形例において、導光体１３２は、それを構成する光ファイバの各々が公知の締結方式によりホルダ１３３に締結されることでホルダ１３３に固定されている。また、発光オーナメント１２１の薄型化のために、ホルダ１３３についても、導光体１３２と同様に円弧状に湾曲した形状に成形されている。
【００７８】
＜＜その他の実施形態＞＞
上記の実施形態には、主として本発明の車両用加飾部品の一例、具体的には、車両用のドアライニングＲに用いられる発光オーナメント１、４１、８１、１０１、１２１の構成について説明した。しかし、上記の実施形態は、本発明の理解を容易にするためのものであり、本発明を限定するものではない。本発明は、その趣旨を逸脱することなく、変更、改良され得ると共に、本発明にはその等価物が含まれることは勿論である。また、上述した各部材の材質、配置位置、形状等については、本発明の効果を奏するための例に過ぎず、本発明を限定するものではない。
【００７９】
また、上記の実施形態では、本発明の車両用加飾部品の一例として車両用のドアライニングＲの一部として組み付けられる発光オーナメント１、４１、８１、１０１、１２１を例に挙げて説明したが、本発明の車両用加飾部品の用途は、ドアライニングＲに限定して利用されるものではなく、車両中の他の部位を加飾する場合であってもよい。例えば、上記の実施形態に係る発光オーナメント、４１、８１、１０１、１２１と同様の効果を有する発光オーナメントが、車両用シートの背面側に設けられたシートバックボード、車両のルーフやルーフを支持するルーフピラー、運転席前方のダッシュボードやその周辺用の内装部材、あるいは座席間に設けられたコンソールボックスに組み付けられるものであってもよい。
【符号の説明】
【００８０】
１，４１，８１，１０１，１２１  発光オーナメント（車両用加飾部品）
１ａ  発光領域、１ｂ  非発光領域
２  ポケットトリム
３  ドアアームレスト
４  ロアベース
４ａ，４ｃ  ボス穴
４ｂ，４ｄ  嵌合穴
５  プルハンドル
１０，８２，１０２，１２２  オーナメント本体（加飾体）
１１  オーナメント基材（加飾体本体）
１２  加飾フィルム
１２ａ  絵柄層
１２ｃ  透光部
１２ｄ  遮光部
１２ｅ  接着層
１３  ボス
１４  係合突起
１５  リブ
１６  爪部
１６ａ  鉤状部、１６ｂ  包囲部
３０，６０，１３０  光源ユニット（照射体）
３１，６１  ランプ（光源）
３１ａ  ジャック
３２，６２，１３２  導光体
３２ａ，６２ａ  出射面
３３，６３，９３，１１３，１３３  ホルダ
３４  係合穴形成部
３４ａ  係合穴
３５  ボス
３６  係合突起
４２  ドアライニング本体
４５  爪部
６２ｂ  突出部
６２ｃ  凸部
６２ｄ  プリズム部
６４ａ  枠壁
６４ｃ  位置決め穴
６４ｄ  係合爪部
６４ｅ  側壁
６４ｉ  当接リブ
８３  爪
８４  ボス
９０  ディスプレイ（照射体、面状発光体）
９０ａ  発光面（対向面）
９０ｂ  点灯領域、９０ｃ  非点灯領域、９０ｄ  凸部
９３ａ  嵌合穴、９３ｂ  係合突起
９３ｃ  舌状突起、９３ｄ  挿入穴
９３ｅ  係合突起
１１０  シート状ディスプレイ（照射体、面状発光体）
１１３ａ  ボス
Ｈ  ケーブル
Ｒ  ドアライニング
【図１】
2014231311.tif 000003
【図３】
2014231311.tif 000004
【図４】
2014231311.tif 000005
【図５】
2014231311.tif 000006
【図７】
2014231311.tif 000007
【図８】
2014231311.tif 000008
【図９】
2014231311.tif 000009
【図１０】
2014231311.tif 000010
【図１１】
2014231311.tif 000011
【図１２】
2014231311.tif 000012
【図１３】
2014231311.tif 000013
【図１４】
2014231311.tif 000014
【図１５】
2014231311.tif 000015
【図２】
2014231311.tif 000016
【図６】
2014231311.tif 000017